(57)【要約】【課題】  通常型量水器にも特殊型量水器にも適用することができる接続構造を有する量水器の接続装置を提供する。【解決手段】  量水器の接続装置は連結パイプ４と１対の接続部１ａ、１ｂで構成され、接続部は連結部５ａ、５ｂと接続体部６ａ、６ｂで構成され、連結部は連結パイプで結合される。接続体部６ａを構成するスリーブ７と量水器ガイド８との間及び逆止弁シート１０と量水器ガイド９との間にスプリング３ａ、３ｂ及び量水器位置補正リング２ａ、２ｂが挿入される。この量水器位置補正リングにより、量水器１００とスリーブ７及び逆止弁シート１０との中心線が一致する。その結果、通常型量水器及び特殊型量水器のいずれもこの量水器の接続装置に接続することができる。【選択図】  図１
2006225984.tif 000002
【特許請求の範囲】
【請求項１】
連結パイプと、前記連結パイプの両側に設けられた１対の接続部とを具備し、前記１対の接続部は、それぞれ前記連結パイプが取り付けられた連結部と接続体部とからなり、前記１対の接続部の接続体部は、一方の接続体部が両端に水道管接続部及び量水器接続部を有し、他方の接続体部が両端に凸状継手接続部及び量水器接続部を有し、前記一方の接続体部の前記量水器接続部は、前記量水器の一端を保持し筒状部を有する第１量水器ガイドと、前記一方の接続体の前記水道管接続部と前記量水器接続部の間に配置された逆止弁を支持する筒状の逆止弁シートとを有し、前記第１量水器ガイドの前記筒状部と前記逆止弁シートとの間には前記量水器の中心軸を適正な位置に保持する第１量水器位置補正リングが介在され、前記他方の接続体部の前記量水器接続部は、前記量水器の他端を保持するスリーブ及び前記スリーブを駆動するスクリューハンドルを有し、前記スリーブは、前記量水器の他端を保持し筒状部を有する第２量水器ガイドを有し、前記スリーブは、前記スリーブ一端が前記第２量水器ガイドの筒状部に挿入され、前記第２量水器ガイドの前記筒状部と前記スリーブ一端との間には前記量水器の中心軸を適正な位置に保持する第２量水器位置補正リングが介在され、前記連結パイプは、前記１対の接続部間の間隔を一定に保ち、前記他方の接続体部の凸状継手接続部には、一端に水道管接続部、他端に開口部を有し、前記他端の開口部に凸状継手接続部が嵌合される筒状のエルボ本体と、一端に前記凸状継手接続部、他端に他部材接続部を有し、前記凸状継手接続部の一端側嵌合部は前記エルボ本体開口部に嵌合する円筒状の接続体とを具備する管継手を用いることを特徴とする量水器の接続装置。
【請求項２】
二次側に計測器等の取付け部を設けたことを特徴とする請求項１に記載の量水器の接続装置。
【発明の詳細な説明】
【技術分野】
【０００１】
本発明は、パイプシャフト内等の狭い配管スペース内で、量水器を接続するための接続装置に関するものである。
【背景技術】
【０００２】
従来、水道管の途中に接続する量水器は、定められた検定有効期限の経過によって取替える必要がある。そのため、量水器を所定の位置に固定するための接続装置を水道管の途中に接続し、この接続装置に量水器を着脱可能な状態で接続していた。
【０００３】
従来技術には、例えば、特許文献１に開示された量水器の接続装置が知られている。この量水器の接続装置は、図４に示すように、配管方向に自在対応できる複数の角度規制穴を持つ管継手を有し、この管継手を用いて配管方向に自在対応でき、量水器設置場所の長さを一定に保ち、配管ずれを生じずに量水器の再設置が容易な構造を有している。この量水器の接続装置に用いる管継手は、外部に複数の角度規制穴１２１、内周にサポートリングを有すエルボ本体２０と、第１溝・第２溝、角度規制突起（突起ネジ１２２）を有する接続体部６ａで構成され、エルボ本体２０を接続体部６ａに嵌合する際は、サポートリングを第１溝に嵌合し、所定の角度規制穴１２１を角度規制突起と位置合せし、エルボ本体２０を接続体部６ａに押し込んでサポートリングを第２溝に嵌合しながら角度規制穴１２１を角度規制突起に係止させる構造を有している。量水器の接続装置は、連結パイプ４と１対の接続部１ａ、１ｂで構成され、接続部は、連結部５ａ、５ｂと接続体部６ａ、６ｂで構成され、連結部５ａ、５ｂは連結パイプ４で結合され、接続体部６ａは、管継手を構成する。この量水器の接続装置には、量水器１００が搭載されている。
【０００４】
量水器には同口径のものとして流通している量水器でも通常流通している通常型量水器と、大都市仕様や特殊用途仕様等により、接続部の外径がやや小さい特殊型量水器も市場に流通している。
特殊型量水器を通常型量水器用の接続装置に接続しようとすると、接続部外径がやや小さいために、量水器の中心線が、量水器の接続装置の中心線位置より下方へずれ、量水器の接続装置の量水器接続面パッキン部より漏水等の不備が生じることがあった。
このような環境において、量水器の接続装置を新たに設置する際には、これら量水器の型が通常型か特殊型かを確認して、それぞれに適応した量水器の接続装置を選択しなければならない。特に同じ地域で通常型量水器と特殊型量水器の使用が混在している場合には、２つの型の径差が僅かであるために、その判断は非常に困難である。さらに、設置されている量水器が別の型に変更される場合には、設置した量水器の接続装置そのものの設置替えを余儀なくされて経済的にも問題のあるところである。
【０００５】
また、量水器の接続装置を設置する際に一次側に減圧弁を取付ける場合がある。減圧弁により減圧した圧力を計測するには圧力計等の計測装置を二次側端末に取付けるか、専用の検査装置を量水器の代わりに取付ける必要があった。
【特許文献１】特願２００３−４０５６１３号明細書
【発明の開示】
【発明が解決しようとする課題】
【０００６】
本発明は、このような事情によりなされたものであって、通常型量水器にも特殊型量水器にも適用することができる接続構造を有する量水器の接続装置及びこのような量水器の接続装置において、二次側に計測器等の取付け部を有する量水器の接続装置を提供する。
【課題を解決するための手段】
【０００７】
本発明は、連結パイプと、前記連結パイプの両側に設けられた１対の接続部とを具備し、前記１対の接続部は、それぞれ前記連結パイプが取り付けられた連結部と接続体部とからなり、前記１対の接続部の接続体部は、一方の接続体部が両端に水道管接続部及び量水器接続部を有し、他方の接続体部が両端に凸状継手接続部及び量水器接続部を有し、前記一方の接続体部の前記量水器接続部は、前記量水器の一端を保持し筒状部を有する第１量水器ガイドと、前記一方の接続体部の前記水道管接続部と前記量水器接続部の間に配置された逆止弁を支持する筒状の逆止弁シートとを有し、前記第１量水器ガイドの前記筒状部と前記逆止弁シートとの間には前記量水器の中心軸を適正な位置に保持する第１量水器位置補正リングが介在され、前記他方の接続体部の前記量水器接続部は、前記量水器の他端を保持するスリーブ及び前記スリーブを駆動するスクリューハンドルを有し、前記スリーブは、前記量水器の他端を保持し筒状部を有する第２量水器ガイドを有し、前記スリーブは、前記スリーブ一端が前記第２量水器ガイドの筒状部に挿入され、前記第２量水器ガイドの前記筒状部と前記スリーブ一端との間には前記量水器の中心軸を適正な位置に保持する第２量水器位置補正リングが介在され、前記連結パイプは、前記１対の接続部間の間隔を一定に保ち、前記他方の接続体部の凸状継手接続部には、一端に水道管接続部、他端に開口部を有し、前記他端の開口部に凸状継手接続部が嵌合される筒状のエルボ本体と、一端に前記凸状継手接続部、他端に他部材接続部を有し、前記凸状継手接続部の一端側嵌合部は前記エルボ本体開口部に嵌合する円筒状の接続体とを具備する管継手を用いる量水器の接続装置を特徴としている。
【０００８】
この量水器位置補正リングは、接触面の外径が通常型量水器の外径と略同じであり、接触面の内径が特殊型量水器の外径よりわずかに大きい。また、量水器位置補正リングは、両接触面に複数の欠け部を有する形状をしている。
連結パイプを設けることにより地上に設置される量水器設置場所の長さ、いわゆるスパンを一定に保つことができ、再設置の際に配管ずれを生じないで量水器の再設置を容易に行うことができる。また、１対の接続部の一方の量水器接続部にスリーブ及び前記スリーブを進退させて前記量水器を固定するスクリューハンドルを用いることにより、狭いスペースでも少ない労力で十分正確に再設置作業を行うことができる。
【０００９】
前記一方の接続体部は、ソケット本体から構成され、前記ソケット本体には、逆止弁ユニットが装着されているようにしても良い。前記連結パイプには、量水器を所定の位置に据える台座が取り付けられているようにしても良い。前記管継手を構成する前記エルボ本体の水道管接続部側には、水道部材が取り付けられているようにしても良い。前記水道部材は、止水栓（止水バルブ、止水弁）、逆止弁、減圧弁のいずれかであるようにしても良い。前記１対の接続部の各々には脚部が取り付けられているようにしても良い。前記スクリューハンドル及び前記他方の接続体部には、相互に結束固定するための固定用穴を有しているようにしても良い。このような量水器の接続装置において、二次側に計測器等の取付け部を設けることができる。
【発明の効果】
【００１０】
本発明は、量水器位置補正リングを量水器の接続装置に用いることによって、通常型量水器にも、この通常型量水器よりやや小さい外径を有する特殊型量水器にも適用することができる接続構造を有する量水器の接続装置を提供でき、また、このような量水器の接続装置において、二次側に計測器等の取付け部を設けることにより、計測が容易な量水器の接続装置を提供することができる。
【発明を実施するための最良の形態】
【００１１】
以下、実施例を参照して発明の実施の形態を説明する。
【実施例１】
【００１２】
図１乃至図１３を参照して実施例１を説明する。
図１は、実施例１に係る量水器の接続装置正面断面図、図２は、図１に係る他方の接続体部の量水器ガイド、量水器位置補正リング、リングパッキン及びスリーブの正面断面図とスプリングの正面図及び該断面図のＡ−Ａ、Ｂ−Ｂ、Ｃ−Ｃ線に沿う部分の各右側面図、図３は、図１に係る一方の接続体部のキャップ、量水器ガイド、量水器位置補正リング、リングパッキン及び逆止弁シートの正面断面図とスプリングの正面図及び該断面図のＤ−Ｄ、Ｅ−Ｅ、Ｆ−Ｆ、Ｇ−Ｇ線に沿う部分の各左側面図、図４は、量水器を取付けた従来の量水器の接続装置正面断面図、図５及び図６は、図４の従来の量水器の接続装置に通常型量水器より外径の略小さい特殊型量水器を取付けた時の不具合を説明する量水器の接続装置正面部分断面図、図７は、通常型量水器を取付けた実施例１の量水器の接続装置正面断面図、図８及び図９は、図７の量水器の接続装置に通常型量水器を取付ける工程を説明する量水器の接続装置正面部分断面図、図１０は、特殊型量水器を取付けた実施例１の量水器の接続装置正面断面図、図１１及び図１２は、図１０の量水器の接続装置に特殊型量水器を取付ける工程を説明する量水器の接続装置正面部分断面図、図１３は、この実施例で説明する量水器の接続装置に量水器を取付けて建物に設置した状態を示す正面図である。
【００１３】
まず、図１を参照して量水器の接続装置を説明する。
この実施例に係る量水器の接続装置は、１対の接続部１ａ、１ｂを備え、接続部１ａ、１ｂは、連結部５ａ、５ｂ及びこの連結部５ａ、５ｂの上に設けられた接続体部６ａ、６ｂから構成されている。この実施例では連結部と接続体部とは、一体的に形成されているが、本発明は、それぞれ別体のものを接続具などを用いて接合するようにしてもよい。
接続体部（他方の接続体部）６ａは、凸状継手接続部及び量水器接続部１６ａを有し、接続体部６ｂは、水道管接続部１５及び量水器接続部１６ｂを有している。接続体部６ａは、連結部５ａと一体的に繋がる伸縮ソケット本体１３からなり、伸縮ソケット本体１３は、凸状継手接続部及び量水器接続部１６ａを備えている。量水器接続部１６ａは、伸縮ソケット本体１３の一端にリングパッキン２４を介して挿入されたスリーブ７と、スリーブ７を駆動するスクリューハンドル１２を備えている。
【００１４】
スリーブ７の一端は、伸縮ソケット本体１３の一端に挿入され、他端は、量水器ガイド（第２量水器ガイド）８の筒状部に挿入されている。スリーブ７の他端と量水器ガイド８の筒状部との間には、間隙があり、その間隙にスプリング３ａが挿入され、次にスプリングに続いて量水器位置補正リング（第２量水器位置補正リング）２ａが挿入されている。
前記量水器位置補正リングは、両接触面に複数の欠け部を有する形状を有している（図２、図３）が、量水器位置補正リングの複数の欠け部は、リング側面の接触面積を減らし、擦動抵抗を減らし、リングの動きをスムースにする。
本発明は、量水器位置補正リングの形状を図１５に示すように、欠け部の形状、欠け部を有する面が両接触面もしくはどちらか一方の側面、欠け部に代えて量水器位置補正リングの一部を割った形状、欠け部に代えて量水器位置補正リングを半割りした形状等でもよい。
量水器位置補正リングにおける周辺部に一部切断され分離された部分（図１５参照）は、量水器の接続装置にこの量水器位置補正リングを装着し易くするために設けられ、図２、３に示された量水器位置補正リングと同じような作用効果を有する。
伸縮ソケット本体１３上部に、例えば、固定用穴を設け、この固定用穴とスクリューハンドル１２の貫通孔とに結束バンドを通して両者を固定することができる。これにより、ハンドルが容易に操作されないので、誤操作や不慮の事故から免れることができる。接続部１ａには、エルボ本体２０が設けられ、エルボ本体２０は、一端に水道管接続部１５及び他端に凸状継手接合部を嵌合する開口部を有している。
【００１５】
また、接続体部（一方の接続体部）６ｂは、連結部５ｂと一体的に繋がるソケット本体１４からなり、量水器接続部１６ｂは、ソケット本体１４の一端を係止するキャップ２１を備えている。ソケット本体１４の他端は、水道管接続部１５を構成している。ソケット本体１４内部には逆止弁ユニット１８が装着されている。逆止弁ユニット１８は、逆止弁シート１０により支持され、キャップ２１は、この逆止弁シート１０をソケット本体１４に固定している。逆止弁シート１０には量水器ガイド（第１量水器ガイド）９がソケット本体１４の外部に突出するように取付けられている。量水器ガイド９は、ガイド部に繋がる筒状部を有し、該筒状部には逆止弁シート１０の筒状部が挿入されている。量水器ガイド９の筒状部と逆止弁シート１０の筒状部との間には、間隙があり、その間隙にスプリング３ｂが挿入され、次にスプリング３ｂに続いて量水器位置補正リング（第１量水器位置補正リング）２ｂが挿入されている。これにより、例えば、水道管の一次側（本管）で水道管の破裂等により大きな圧力低下を生じた時に、二次側（屋内配管）の水道水が一次側へ逆流するのを防ぐと共に、量水器を取り出す時に、二次側の水道水がここから流出するのを防止している。ソケット本体１４にはプラグ３３が取付けられるようにしても良い。
【００１６】
１対の連結部５ａ、５ｂは、互いに対向する嵌合穴を有し、それぞれに連結パイプ４が嵌合されている。この連結パイプ４は、１対の接続体部６ａ、６ｂ間の間隔を一定に保つ。
連結パイプ４には、量水器を設置する際に、量水器を据えて、その位置決めと設置が容易になる台座が取付けられている。台座は、図に示すように、連結パイプ４が挿入される筒状部を有し、筒状部が連結パイプ４を摺動し所定の位置でねじ止めにより固定されるようになっている。
１対の接続部１ａ、１ｂを構成する連結部５ａ、５ｂにはそれぞれ断面Ｌ字状の脚部３０ａ、３０ｂが設けられている。脚部３０ａ、３０ｂは、それぞれ連結部５ａ、５ｂにリベットによって固定されている。勿論、本発明では、脚部を連結部に一体的に成形するようにしても良い。この脚部３０ａ、３０ｂを、例えば、図１３に示す建造物１１０に取付ける。この場合、量水器の設置高さを調整するために、棒状の支持具を床に固定し、この支持具の先端に脚部３０ａ、３０ｂを取付けるようにしても良い。
【００１７】
次に、図４乃至図６を参照して従来の量水器の接続装置に量水器を取付ける方法及びその問題を説明する。
図４に示す量水器の接続装置には、スリーブ１１及び逆止弁シート１７に接続体部６ａ、６ｂから突出する量水器搭載部を有している。この量水器搭載部に量水器１００を乗せるようにして取付ける。当然のことながらここに取付ける量水器は、この量水器の接続装置に適合した口径の同じ量水器を用いる。
しかし、量水器には同口径のものとして流通している量水器でも、通常流通している通常型量水器と、大都市仕様や特殊用途仕様等により、接続部の外径が通常型よりやや小さい特殊型量水器も市場に流通している。
このような通常型量水器よりやや小さい外径を有する量水器１００を、図５に示すように、スリーブ１１及び逆止弁シート１７に量水器１００の両端を載置すると、量水器１００の中心線Ｘ２は、スリーブ１１及び逆止弁シート１７の中心線Ｘ１とは僅かに差（Ｘ１−Ｘ２）が生じる。この状態で、図６に示すように、量水器１００を取付け固定しても、中心線差（Ｘ１−Ｘ２）は残り、量水器の接続装置と量水器との接続面のパッキン部から漏水等の不備が生じる。
【００１８】
しかし、本発明の量水器の接続装置に量水器位置補正リングを用いることにより、従来技術で生じた漏水等の不具合が著しく減少する。
量水器位置補正リング及びこれに付随した量水器の接続装置の部品は、図２及び図３に示される。図２には、量水器位置補正リング（第２量水器位置補正リング）２ａ、量水器ガイド（第２量水器ガイド）８、スプリング３ａ、リングパッキン２４及びスリーブ７が記載され、図３には、量水器位置補正リング（第１量水器位置補正リング）２ｂ、量水器ガイド（第１量水器ガイド）９、スプリング３ｂ、キャップ２１、リングパッキン２４及び逆止弁シート１０が記載されている。
【００１９】
この様な量水器位置補正リングを用いて通常型量水器でも特殊型量水器でも適用可能な量水器の接続装置を説明する。図７乃至図９は、通常型量水器を用いた例であり、図１０乃至図１２は、特殊型量水器を用いた例である。
まず、図７に示すように、通常型量水器を取付ける場合、スリーブ７の一端は、伸縮ソケット本体１３の一端に挿入され、他端は、量水器ガイド（第２量水器ガイド）８の筒状部に挿入されている。スリーブ７の他端と量水器８の筒状部との間には間隙があり、その間隙にスプリング３ａが挿入され、さらにスプリング３ａに続いて量水器位置補正リング（第２量水器位置補正リング）２ａが挿入される。量水器１００は、通常型量水器なので、その両端の外径は、量水器位置補正リング２ａ、２ｂの外径と略同じである。したがって、量水器位置補正リング２ａ、２ｂの各接触面と量水器１００の両端が接触した状態にある。
【００２０】
量水器１００の一端は、ソケット本体１４の内部にキャップ１９によって固定されている逆止弁シート１０に取付けられた量水器ガイド９の量水器搭載部に載置され、リングパッキン２４を介して逆止弁シート１１に接している。量水器１００の他端は、伸縮ソケット本体１３にスクリューハンドル１２を用いて摺動自在に構成されたスリーブ７の一端に設けた量水器ガイド８の量水器搭載部に保持されている。スリーブ７は、伸縮ソケット本体１３にリングパッキン２４を介して接触している。量水器１００を取付ける方法は、量水器ガイド８、９の量水器搭載部に量水器１００を載せ（図８）、その後、スクリューハンドル１２を回転させて量水器１００を固定する（図９）。この時の量水器１００とスリーブ７及び逆止弁シート１０との中心線Ｘ０とは一致する。このような構成において、量水器の接続装置と量水器との接続面は、パッキン２４により気密が保たれるので、漏水等の不備は生じない。
【００２１】
次に、図１０に示すように、特殊型量水器を取付ける場合、量水器１００は特殊型なので、その両端の外径は、量水器位置補正リング２ａ、２ｂの各接触面の内径よりやや小さい。したがって、量水器１００の両端は、一部量水器位置補正リング２ａ、２ｂに入り込んで両者は重なる。量水器１００を取付ける方法は、量水器ガイド８、９の量水器位置補正リング２ａ、２ｂ内に量水器１００を入れ（図１１）、その後、スクリューハンドル１２を回転させて量水器１００を固定する（図１２）。この時の量水器１００とスリーブ７及び逆止弁シート１０との中心線Ｘ０とは一致する。このような構成において、量水器の接続装置と量水器との接続面は、パッキン２４により気密が保たれるので、漏水等の不備は生じない。
【００２２】
図１３は、図１に示す量水器の接続装置に量水器を接続し、実際に配管に設置した場合を示している。１対の接続体部６ａ、６ｂの向かい合う１端に量水器１００が接続され、接続体部６ａの他端には、管継手及び止水栓２６を介して、屋内配管が接合され、接続体部６ｂの他端には分岐管１０２が接合されている。建造物１１０内に配管された水道管１０３は、分岐管１０２に分岐され、分岐管１０２には量水器１００が接続されている。量水器の接続装置は、１対の接続部１ａ、１ｂ及び連結パイプ４からなり、接続部１ａ、１ｂは、それぞれ接続体部６ａ、６ｂ及びこれら接続体部に繋がる連結部５ａ、５ｂからなる。連結パイプ４は、これら連結部５ａ、５ｂを結合する。
【実施例２】
【００２３】
次に、図１４を参照して実施例２を説明する。
図１４は、この実施例で説明する量水器の接続装置に量水器を取付けて建物に設置した状態を示す正面図である。図１に示す量水器の接続装置には、下流側のソケット本体１４にプラグ３３が取付けられている。即ち、二次側に計測器等の取付け部を設けられている。このような構成により計測が容易な量水器の接続装置が得られる。図１４では、プラグに代えて圧力計３５が取付けられている。この分岐管１０２には量水器の接続装置と止水栓２６との間に減圧弁２８が設けられ、圧力計３５は、屋内配管の水圧を調整するために必要である。
前記実施例で説明した量水器位置補正リングに附随したスプリングは、通常型量水器を装着する際には、量水器両端面により量水器補正リングを介して縮む。この状態のスプリング及び量水器位置補正リングは、収納状態となる。両型の量水器を装着する前及び特殊型量水器を装着する際には、スプリングは伸びた状態であり、特殊型量水器のガイドとなる量水器位置補正リングの位置を保持している。
【図面の簡単な説明】
【００２４】
【図１】実施例１に係る量水器の接続装置正面断面図。
【図２】図１に係る他方の接続体部の量水器ガイド、量水器位置補正リング、リングパッキン及びスリーブの正面断面図とスプリングの正面図及び該断面図のＡ−Ａ、Ｂ−Ｂ、Ｃ−Ｃ線に沿う部分の各右側面図。
【図３】図１に係る一方の接続体部のキャップ、量水器ガイド、量水器位置補正リング、リングパッキン及び逆止弁シートの正面断面図とスプリングの正面図及び該断面図のＤ−Ｄ、Ｅ−Ｅ、Ｆ−Ｆ、Ｇ−Ｇ線に沿う部分の各左側面図。
【図４】量水器を取付けた従来の量水器の接続装置正面断面図。
【図５】図４の従来の量水器の接続装置に通常型量水器より外径の略小さい特殊型量水器を取付けた時の不具合を説明する量水器の接続装置正面部分断面図。
【図６】図４の従来の量水器の接続装置に通常型量水器より外径の略小さい特殊型量水器を取付けた時の不具合を説明する量水器の接続装置正面部分断面図。
【図７】通常型量水器を取付けた実施例１に係る量水器の接続装置正面断面図。
【図８】図７の量水器の接続装置に通常型量水器を取付ける工程を説明する量水器の接続装置正面部分断面図。
【図９】図７の量水器の接続装置に通常型量水器を取付ける工程を説明する量水器の接続装置正面部分断面図。
【図１０】特殊型量水器を取付けた実施例１に係る量水器の接続装置正面断面図。
【図１１】図１０の量水器の接続装置に特殊型量水器を取付ける工程を説明する量水器の接続装置正面部分断面図。
【図１２】図１０の量水器の接続装置に特殊型量水器を取付ける工程を説明する量水器の接続装置正面部分断面図。
【図１３】実施例１で説明する量水器の接続装置に量水器を取付けて建物に設置した状態を示す正面図。
【図１４】実施例２で説明する量水器の接続装置に量水器を取付けて建物に設置し、圧力調整を行う場合の状態を示す正面図。
【図１５】実施例に用いる他の量水器位置補正リングの斜視図。
【符号の説明】
【００２５】
１ａ、１ｂ・・・接続部
２ａ、２ｂ・・・量水器位置補正リング
３ａ、３ｂ・・・スプリング
４・・・連結パイプ
５ａ、５ｂ・・・連結部
６ａ、６ｂ・・・接続体部
７・・・スリーブ
８、９・・・量水器ガイド
１０・・・逆止弁シート
１２・・・スクリューハンドル
１３・・・伸縮ソケット本体
１４・・・ソケット本体
１５・・・水道管接続部
１６ａ、１６ｂ・・・量水器接続部
１８・・・逆止弁ユニット
２０・・・エルボ本体
２１・・・キャップ
２４・・・リングパッキン
２６・・・止水栓
２８・・・減圧弁
３０ａ、３０ｂ・・・脚部
３３・・・プラグ
３５・・・圧力計
１００・・・量水器
１０２・・・分岐管
１０３・・・水道管
１１０・・・建造物
Ｘ０・・・量水器及び量水器の接続装置の中心線
Ｘ１・・・量水器の接続装置の中心線
Ｘ２・・・量水器の中心線
【図１】
2006225984.tif 000003
【図２】
2006225984.tif 000004
【図３】
2006225984.tif 000005
【図４】
2006225984.tif 000006
【図５】
2006225984.tif 000007
【図６】
2006225984.tif 000008
【図７】
2006225984.tif 000009
【図８】
2006225984.tif 000010
【図９】
2006225984.tif 000011
【図１０】
2006225984.tif 000012
【図１１】
2006225984.tif 000013
【図１２】
2006225984.tif 000014
【図１３】
2006225984.tif 000015
【図１４】
2006225984.tif 000016
【図１５】
2006225984.tif 000017